(57)【要約】  この技術は，言語学習を容易にするということを目指しており，全般的に音韻論と音声学の習得を容易にするためであり，特には韻律の習得を容易にするためである．そのために，学習者は目標言語のリズムや韻律構造をよりよく受け取るために訓練される．その訓練は，学習者が目標言語の韻律特徴をよりよく特定させてくれ，その特定の実現能力を発達させてくれる，いくつかの簡単にする方法の助けを借りて，決まった聴覚再生を聞くことからなっている．【特許請求の範囲】
2007525702.tif 000017
2007525702.tif 000018
2007525702.tif 000019
2007525702.tif 000020
2007525702.tif 000021
2007525702.tif 000022
2007525702.tif 000023
2007525702.tif 000024
【発明の詳細な説明】
2007525702.tif 000002
2007525702.tif 000003
2007525702.tif 000004
2007525702.tif 000005
2007525702.tif 000006
2007525702.tif 000007
2007525702.tif 000008
2007525702.tif 000009
2007525702.tif 000010
2007525702.tif 000011
2007525702.tif 000012
2007525702.tif 000013
2007525702.tif 000014
2007525702.tif 000015
2007525702.tif 000016
【手続補正書】
【提出日】平成18年10月12日(2006.10.12)
【手続補正１】
【補正対象書類名】明細書
【補正対象項目名】全文
【補正方法】変更
【補正の内容】
【発明の詳細な説明】
【技術分野】
【０００１】  専門分野
この技術は，言語習得と言語理解の分野，特に音韻論と音声学の学習の領域に該当する．【０００２】  技術の現状
参考資料
技術の現状と一般的な知識を確認するには，以下の文献を参考されたい．これらは，以下の説明において，適宜使われる．
［１］Ｂｌｅｖｉｎｓ，Ｊ．（１９９５）：Ｔｈｅ  Ｓｙｌｌａｂｌｅ  ｉｎ  Ｐｈｏｎｏｌｏｇｉｃａｌ  Ｔｈｅｏｒｙ（音韻理論における音節），ｅｎ［Ｇｏｌｄｓｍｉｔｈ  １９９５］
［２］Ｂｏｒｄｅｎ，Ｇ．Ｊ．，Ｈａｒｒｉｓ，Ｋ．Ｓ．，Ｒａｐｈａｅｌ，Ｌ．Ｊ．（１９９４）：“Ｓｐｅｅｃｈ  Ｓｃｉｅｎｃｅ  Ｐｒｉｍｅｒ：Ｐｈｙｓｉｏｌｏｇｙ，Ａｃｏｕｓｔｉｃｓ  ａｎｄ  Ｐｅｒｃｅｐｔｉｏｎ  ｏｆ  Ｓｐｅｅｃｈ”（ことば科学入門：生理学，音響学，話しことば認知），Ｗｉｌｌｉａｍｓ  ａｎｄ  Ｗｉｌｋｉｎｓ．
［３］Ｅｗｅｎ，Ｃ．Ｊ．，ｖａｎ  ｄｅｒ  Ｈｕｌｓｔ，Ｈ．（２００１）：“Ｔｈｅ  Ｐｈｏｎｏｌｏｇｉｃａｌ  Ｓｔｒｕｃｔｕｒｅ  ｏｆ  Ｗｏｒｄｓ”（単語の音韻論的構造），Ｃａｍｂｒｉｄｇｅ：Ｃａｍｂｒｉｄｇｅ  Ｕｎｉｖｅｒｓｉｔｙ  Ｐｒｅｓｓ．
［４］Ｇｏｌｄｓｍｉｔｈ，Ｊ．（１９９５）：“Ｔｈｅ  Ｈａｎｄｂｏｏｋ  ｏｆ  Ｐｈｏｎｏｌｏｇｉｃａｌ  Ｔｈｅｏｒｙ”（音韻理論ハンドブック），Ｃａｍｂｒｉｄｇｅ  ＭＡ，Ｂｌａｃｋｗｅｌｌ  Ｐｕｂｌｉｓｈｅｒｓ．
［５］Ｊａｃｋｅｎｄｏｆｆ，Ｒ．（２００２）：“Ｆｏｕｎｄａｔｉｏｎｓ  ｏｆ  Ｌａｎｇｕａｇｅ”（言語の基礎），Ｏｘｆｏｒｄ  Ｕｎｉｖｅｒｓｉｔｙ  Ｐｒｅｓｓ，Ｏｘｆｏｒｄ．
［６］Ｌａｄｅｆｏｇｅｄ，Ｐ．（２００１）：“Ｖｏｗｅｌｓ  ａｎｄ  Ｃｏｎｓｏｎａｎｔｓ“（母音と子音），Ｍａｌｄｅｎ，ＭＡ：Ｂｌａｃｋｗｅｌｌ  Ｐｕｂｌｉｓｈｅｒｓ．【０００３】  外国語習得は，成人学習者にとって困難の連続である．学習者は，学習している言語が時代遅れになり，学びたいと思っている目標の言語とはかけ離れたものになってしまっているという状況に至りがちである．現代の科学は，言語習得のいくらかの過程についてある程度の理解を備えてはいるものの，この分野は誰にとっても難しいテーマであり続けている．【０００４】一方で，自身の母語使用に問題のある人も多く存在する．ある面では，言語に問題を抱える人にとって，外国語習得と母語を自由に使いこなす能力の改善の間には，平行関係が存在する．どちらを目的とする人たちの手助けをするためにでも，同じ技術が利用できる．【０００５】  本技術は，以下の目的のために，言語習得に関する現存する科学的知識を使う．
−言語を完全に習得するために重要だと思われる問題の側面を特定すること
−上記の側面の習得を改善するための方法を提案すること【０００６】  現代科学では，音韻論と音声学の学習が，よい発音をもたらしてくれることを超えて，ある言語を完全に習得するのに鍵となる分野であることがわかってきた．言語能力には，異なるレベルの表示が存在し，それらのレベルのひとつひとつにおいて，正しい形態を間違っている形態と区別する規則がいくつか存在する．それぞれのレベルは互いに依存関係にあり，Ｊａｃｋｅｎｄｏｆｆがインターフェース規則と呼ぶものに基づいている．［Ｊａｃｋｅｎｄｏｆｆ２００２，ｐ．１２５］．【０００７】  これらの状況において，ある言語の音声学と音韻論を十分に学習しないことは，その言語の，例えば統語論が関連するような他の側面の習得を妨げたり遅らせたりする．このため，音声学と音韻論の学習はアクセントそのものの学習よりも重要であり，その言語を完璧に操ることを可能にする．【０００８】  例えば，ある発声の音の周波数と強さと持続時間の変動，つまりその音の韻律は，その発声の構造を示す，つまりその発声を組み立てている句や単語の構成である．それにもかかわらず，実際の発話の中の単語は，書記言語とは違って，ポーズによって切り離されてはいない．そして単語の区別とグループ分けを可能にしているのは，基本的に韻律なのである．【０００９】  この事実を例証するのは，［Ｑｕｉｌｉｓ  ｅｔ  ａｌ  １９７５］が挙げている次の例である．”ｌａ  ｖａｃａ  ｌｅｎｔｉｔａ”（のろまな牛）という句と”ｌａｖａ  ｃａｌｅｎｔｉｔａ”（熱い溶岩）という句は，”ｌａｖａｃａｌｅｎｔｉｔａ”という同じ音を擁している．しかしながら，普通の母語話者が両方の句を口頭で発した場合，もう一人の母語話者はどちらについて述べているか完璧に区別することができる．これは，付随して発音される韻律によるものであり，それによって異なる単語を示すことができる．【００１０】  伝達内容の構造を示す機能を果たす韻律が重要であることに加えて，脳が実行することのできる速くて信頼できる言語処理は，聞こえた伝達内容の韻律情報を利用しているおかげであるとも考えられる．この韻律情報は，持続時間とイントネーションと強さを含むものであり，言語ごとに異なる重要性を持っている．【００１１】  韻律が子供の言語習得の過程で非常に重要な役割を担っていることも，明らかである．例えば，５ヶ月の子供は，聞いた言語サンプルの韻律によってある従属節と他の従属節の境界を認知することができるということが，立証されている．９ヶ月の子供は，従属節より下位の句（名詞句など）同士の境界を識別する能力もすでに獲得している
［Ｂｏｙｓｓｏｎ−Ｂａｒｄｉｅｓ  ２００１，ｐ．１０３］．【００１２】  結論として，韻律，つまり言語音の周波数と強さと持続時間の変動は，子供にとって言語の全般的習得を容易にする役割を持っており，他の異なる状況での言語習得に際しても，韻律の学習がその言語の習得を容易にするだろうと考えることは理にかなったことである．【００１３】  音声学と音韻論の学習が重要であることを見たところで，問題はどのようにしてこの学習を滞りなく成し遂げるのか，ということである．そのために，音声学と音韻論が何によって成り立っており，話者がどのようにそれらを処理するのかをみる必要がある．【００１４】  音韻論と音声学の２つの鍵となる側面は，母音の性質を持った音と音節である．発話言語の知覚は，音節を中心に組織される［Ｂｏｙｓｓｏｎ−Ｂａｒｄｉｅｓ  ２００１，ｐ．２７］．音節は，自然言語の基本的リズム単位である．すべての言語は音節言語である［Ｂｏｙｓｓｏｎ−Ｂａｒｄｉｅｓ  ２００１，ｐ．４５］．ひとつひとつの音節は，ひとつかそれ以上の異なる音からなっており，それらは分節音と呼ばれる．【００１５】  すべての言語において，音節は子音と母音から成り［Ｂｏｙｓｓｏｎ−Ｂａｒｄｉｅｓ  ２００１，ｐ．４５］，それらが音節の分節音となる．より正確に言えば，音節は子音と，有声性という一定の必要条件を満たすべきいくつかの音から形成される．この必要条件は，音節の中でその音が，周りの分節音よりも有声性を帯びていなければならない，というものである［Ｅｗｅｎ  ｅｔ  ａｌ（２００１），ｐ．１２０］．有声性には３つの段階がある．それは母音の性質を持った音と，有声子音と，阻害子音で，その中で母音の性質を持った音が有声性の最も大きいものである［Ｅｗｅｎ  ｅｔ  ａｌ（２００１），ｐ．１２０］．母音的音声と有声子音については，有声性を持っていると言われたり，有声音であると言われたりする［Ｅｗｅｎ  ｅｔ  ａｌ（２００１），ｐ．１０］．有声音とは，その波形が周期的な音であり，声帯の振動が維持されて作られる音である．そして母音的音声声（母音，二重母音，英語の”ｗ”のような偽母音）と流音（”ｌ”，“ｒ”）と鼻音（”ｍ”と”ｎ”）からなる．（この文書の中では，詳細を加えすぎないために，可能な限り，音声を示すのにスペイン語の文字を使用する．）スペイン語では，音節は必ず母音的音声声を含むが，しかし他の言語ではそうでないこともある．例えば英語には，”ｌｉｔｔｌｅ”という語の２番目の音節のように，流音を中心に形成されている音節も存在する［Ｊａｃｋｅｎｄｏｆｆ  ２００２，ｐ．８］．一般的に言って，音節が母音的音声を含まないことは稀である．【００１６】  音節の内部構造に関しては，異なる見方も存在する．ある見方では，音節は，有声性のピークが落ちるひとつの核と，たいていは子音によって形成される音の連鎖で構成される［Ｊａｃｋｅｎｄｏｆｆ  ２００２，ｐ．８］．スペイン語では核は母音的音声で形成されている．【００１７】  言語音が伝達内容を形作るためにどのように組織されるかということについては，他にも異なる理論が存在する．しかし一般的には，いくつかの異なるレベルにおいて構成され，それらひとつひとつに何らかのリズムパターンがあるのだと考えられている［Ｅｗｅｎ  ｅｔ  ａｌ（２００１），ｐ．２０２］．音節に関して言うと，これは音楽の韻律ネットワークと同様のネットワークにおいて組織化され，その結節点が音節の核なのである．韻律は，基本的にその韻律のネットワークに支えられている．このようにして，母音的音声は言語の韻律の主要部分を支えている［Ｂｏｙｓｓｏｎ−Ｂａｒｄｉｅｓ  ２００１，ｐ．４３］．話者は，ことばを理解するとき，異なる音節における強調の相対的変動によって特徴付けられるリズムを追う．この強調の変動はいくつかの規則に従っており［Ｊａｃｋｅｎｄｏｆｆ  ２００２，ｐ．１０７−１２２］，また完全には明らかになっていないものの，ここ２５年の間で認知されつつある．【００１８】本技術の要点
先の分析の結果として，これから提案する技術は，学習者が発話のリズムと韻律のネットワークを知覚することを容易にするということに基づく．こうして，学習者は音韻論と音声学をより望ましい形で学ぶことができ，その結果として，以下の側面において言語の習得を改善することができるだろう．
−発話を構成している異なる音をより効率よく認知する
−単語同士の境界をより正確に識別する
−発話のサンプルの統語的構造を特定する
−目標言語の音をより正確に習得する
−目標言語により近い発話を生成する【００１９】  次の問題は，学習者が目標言語のリズムと韻律のネットワークを認知するのを，どのようにして容易にするかである．そのために，この技術においては，学習者にいろいろな有声音を与えて，その知覚能力の向上と目標言語のリズムと韻律のネットワークの体得を促すために，いくつかの方法を用いる．【００２０】  使用する方法は，この技術が具体的にどう実現されるかにかかっている．引き続いて，説明を簡単にするために，最も代表的な方法を示す．実現の方法を示すセクションでは，そのほかの方法を説明する．次に続く説明があえて制限するためのものではなく，要求事項の文書により課せられている制限であるということを理解されたい．【００２１】  一般的に，言語のリズムと韻律のネットワークの知覚を容易にするためには，音声データを再生して利用する．これらの音の再生には，２種類の可能性がある．無意データ再生と，有意データ再生である．無意データ再生は，語彙的な意味も単語も持たず，つまりただ目標言語の韻律パターンに似せてトーンと強さと持続時間の変動を反映した音の連続である．有意データ再生は，例えば音節を区切って発音されたり，単語が強調されたり，他にも何か特殊な特徴を伴ったりして実現されるような，いくらか特殊な特徴をもっていることはあるが，目標言語の実際の音のサンプルに対応している．【００２２】  その韻律特徴が目標言語の韻律特徴に似ているということを保障する無意データを取り出すには，数種類の方法がある．そのうちのいくつかを，以下に示す．
−［Ｂｏｙｓｓｏｎ−Ｂａｒｄｉｅｓ  ２００１，ｐ．２２，１０３］で述べられている実験で実現されているように，目標言語の実際の口頭再生をフィルターにかけ，韻律情報を維持しながらも音声学的荷重を除去するか，少なくとも最小の負担にとどめておく．
−ラディフォギッドが［Ｌａｄｅｆｏｇｅｄ  ２００１，ｐ．１８］でイントネーションと知覚の関係を明らかにしたのと似たような方法で，例えば”ｌａ−ｌａ−ｌａ．．．”や他の型の音節のように音節の音をつなげる．この処理の中では，有意データ再生からこの音節連続を作ることができ，そこではすべての母音的音声がただひとつの母音と置き換わる．この場合，二重母音や三重母音やその他の同一音節内にある母音的音声連続は，ただひとつの母音ではなく多様な母音と置き換わることができる．例えば，”ｈａｃｉａ”という単語は”ａｚａａ”で代えることができ，そこでは”ｈ”の欠如と”ｃ”が”ｚ”で代えられていることで，その単語の音声学的内容を反映している．もうひとつの可能性は，母音的音声の組み合わせをただひとつの母音で代え，このアプローチを前述の”ａｚａ”を作り出す例に適用することである．
−周期的な音をつなげる．それは純音であったり，例えば母音のような他の周期的な音であったりする．そしてこの処理の中では，有意データ再生からこの母音の連続を作ることができ，そこでは子音が除去され，すべての母音的音声が尊重される．
−その他のタイプの音をつなげる．【００２３】  はっきりと言及されているときを除いて，ここで言及される無意データ再生は前述の方法のうちのどれかによって，前述の特徴のうちのどれかを伴って作られたものであろうと解釈されよう．【００２４】  続いて，この技術の２つの使用方法を説明する．この技術は，これらの使用方法に限られるのではなく，記述するという目的があるからというだけなのだということを，理解されたい．この技術の限界は，その要求しだいで現れる．【００２５】  これらの使用方法において，無意データ再生と有意データ再生は，学習者が発話のリズムを知覚する能力を発達させる訓練に用いられる．この訓練は，以下に説明されるように，２つの使用方法によって実行されうる．
１．利用方法１：この使用方法では，次の再生を用いる．
−なんらかの方法で獲得され，目標言語の実際のサンプルと同じ韻律変遷を持つ        無意データ再生．
−目標言語のいくつかのサンプルであり，そのうちのひとつは前述の無意データ        再生と同じ韻律変動を持っている．
訓練において，無意データ再生が発される一方で，学習者には言及されている目標言語のサンプルに関する限られた情報が与えられる．そして学習者は，言及されている無意データ再生と同じ韻律変動を持つ言語サンプルを選ばなければならない．
訓練は，２つの方法で実行されうる．それは，２つの下位方法の元になる．
−下位方法１：目標言語のサンプルに関して学習者が獲得する情報は，他の言語        サンプルにも対応する，そのものの口頭再生である．この下位方法は，教育の初        期に適当であり，音と書記素を結び付けてしまうことを避けられる．
−下位方法２：目標言語のサンプルに関して学習者が得る情報は，他の言語サン        プルにも対応する，文字で書かれたものである．この下位方法は，教育の中間段        階で，読み書きの能力を発達させるのに，より適している．
２．利用方法２：この使用方法では，次のものが用いられる．
−基本サンプルと呼ばれる，目標言語の実際のサンプル．
−いろいろな無意データ再生．それらは他の多くの実際の言語サンプルに対応す        るか，または違う方法で得られたものである．これら無意データ再生のうちのひ        とつは，基本サンプルと同じ韻律特徴を持っている．
訓練において，学習者は言及された無意データ再生を得て，さらに基本サンプルについても一定の情報を得る．学習者は，基本サンプルと同じ韻律変動を持つ無意データ再生を選ばなければならない．
訓練は，２つの方法で実行されうる．それは，２つの下位方法の元になる．
−下位方法１：基本サンプルに関して学習者が得る情報は，その基本サンプルの        口頭再生である．この下位方法は，教育の初期に適当であり，音と書記素を結び        付けてしまうことを避けられる．
−下位方法２：基本サンプルに関して学習者が得る情報は，その基本サンプルの        ，文字で書かれたものである．この下位方法は，教育の中間段階で，読みの能力        を発達させるのに，より適している．【００２６】  この技術は，学習者に，目標言語の韻律の特徴的なリズムを知覚する能力を発達させるのに役立つ．【００２７】  一般的に，この文書においては，ある目標言語の習得を改善するためにこの技術を利用する人のことを指して「学習者」とか「利用者」という用語を使う．【００２８】  この技術の利用は，練習のときや情報を与えるときに実行されうる．練習（ｅｎｔｒｅｎａｍｉｅｎｔｏ）のときは，指導者が，使用する限られた再生を選び，入力した．情報を与える（ｉｎｆｏｒｍａｔｉｖａｓ）ときは，利用者は，ある特別な意味のある目標言語のサンプルに関して作業をしている．【００２９】  この技術は，他に類を見ない使われ方をしてもよかったり，言語の理解と／または学習に向けて，他の仕組みや処理と同時に利用されてもいい．例えば，学習者にとって特に情報をもたらすという意義を持っている目標言語のサンプルの理解に向けた，ある仕組み，例えば文書のものでもいいし，映画や他の内容でもいいが，そのようなものとともに用いられることも可能である．【００３０】  最後に，本技術は，外国語の習得のみ向けられたものではなく，母語の使用における音声学や音韻論に関連する何らかの問題がある人たちを助けるということも意図されている．つまり，隠れている側面は基本的に言語という環境に属するものであり，それが外国語であるか自身の母語であるかには関係がない．【００３１】技術の評価と長所
この技術がもたらす利点は，以下．
１．学習者が，言語音の知覚と処理の能力を改善することと，それによって口頭理解の        能力を改善することを，助ける．
２．学習者が，よりよいイントネーションのおかげでよりよいアクセントでの発話がで        きるように，韻律を改善することを，助ける．
３．学習者が，言語音のよりよい知覚を通じて，それらの音をより高い質で発音でき，        それによってよりよいアクセントで発音できるようになることを，助ける．
４．学習者が，音韻論の理解を通して言語の統語構造の理解を改善し，それによってそ        の言語の全般的理解を口頭形式でも記述形式と同じように改善することを，助け        る．
５．学習者が，勉強や辞書を引くことによってもたらされる学習に対して，言語の通常        使用における単語の習得能力を改善することを，助ける．【００３２】図の解説
技術の実現方法の説明
好ましい実現の説明
この技術のより好ましい実現においては，利用者がシステムと相互作用するためにマウスとキーボードがついた，例えばＤｅｌｌ  Ｄｉｍｅｎｓｉｏｎ  ＸＰＳのようなコンピューターに基礎を置いた，コンピューターで処理するシステムが利用される．そのコンピューターシステムには，例えばＭｉｃｒｏｓｏｆｔ  Ｗｉｎｄｏｗｓ  ２０００のようなオペレーションシステムが存在する．
そのコンピューターで処理するシステムには，一連の言語サンプルがテキスト形式で保存されている．これらのサンプルは，学習を容易にする目的や，目標言語話者に必要な情報を与える目的や，またその他の異なる目的のために，作られた可能性がある．【００３３】  このシステムは，さらにテキスト形式の目標言語サンプルの口頭再生を発声するために，テキストと声を変換するモジュールを持っている，つまり，そのシステムでは，そのつど，目標言語サンプルの聴覚再生に到達することができる．それは，例えば音節を際立たせるなどして，異なる特徴を持たせて発声したものでありうる．【００３４】  このシステムは，［Ｂｏｙｓｓｏｎ−Ｂａｒｄｉｅｓ  ２００１，ｐ２２，１０３］で述べられている実験でなされたのと似たような方法で，韻律特徴を尊重しながらも実際の再生の音声的特徴を除去するための音声フィルターモジュールを持っている．【００３５】  このシステムは，さらに，デジタル高域濾波・増幅フィルターのモジュールを持っており，それは幼児の外耳管のに似た共鳴器によってなされるフィルター作用と似たやり方で信号をフィルターにかけるというやり方で作られたものである．【００３６】  前述のモジュールと利用者の相互作用を管理するための機能性は，例えばＭｉｃｒｏｓｏｆｔ  Ｖｉｓｕａｌ  Ｃ＋＋のような発達の環境において発達させられよう．【００３７】  訓練のために作られた目標言語サンプルのそれぞれに，以下の特徴を備えた４つの実際の母語再生がある．
１．一つは，標準速度かつ標準モードで実行された再生
２．一つは，遅い速度かつ標準モードで実行された再生
３．一つは，遅い速度で音節を際立たせて実行された再生
４．一つは，遅い速度で単語を際立たせて実行された再生
これらの再生は，この技術で使われるいくつかの簡単にする方法において補助的に利用される．【００３８】  訓練のための言語サンプルは，言語の先生や指導者によって習慣的基準で選ばれたものである．目標言語の実在する文の主要な種類はカバーすることになろう．それは，平叙文，疑問文，感嘆文，命令文，受動文，関係詞の文やその他である．そしてさらに，異なる文は多くの従属文や同等の文の場合を異なる方法でカバーするだろう．こうして，学習者は幅広い段階の韻律変動に触れることになる．訓練は特別に限られた種類の文を訓練する．つまり，いくらかの場合には，いくつかの共通の特徴を有する文と連続して使用される文のまとまりを作る．例えば，ある文のグループは例えば”Ｅｓｅ  ｅｓ  ｅｌ  ｈｏｍｂｒｅ  ｑｕｅ  ｖｉｎｏ  ａｙｅｒ”（「その人は昨日来た男性だ．」）のように，主語タイプに関係する平叙文になる．【００３９】  すでに説明したように，簡単にする方法には異なる種類がある．これらの簡単にする方法は，この技術の１２の利用方法のもとになる．そのうちの２つは，すでに説明された．これら１２の利用方法がすべて，より好ましい実現である．【００４０】  これら１２の利用方法は，次に説明するように５つのブロックに分けることができる．すべての方法が訓練に利用できるが，このうち情報を与えるのにも利用できるのはいくつかのみである．ここに挙げた異なる利用方法は，独立して練習できる．しかしながら，いくつかの明らかな例外を除いて，４つのブロックの中のそれぞれからひとつの種類を選んで組み合わせることも可能である．利用方法のいくつかの中には，ひとつ以上の下位方法が存在するものがあり，それぞれはどのように実行されるかによって選択される．【００４１】  より好ましい実現に用いられる無意データ再生はすべて，韻律情報をなくすために音声フィルターのシステムを応用して構成される．【００４２】  Ａブロック  再生の内容に関係する方法
１．利用方法１：この利用方法は，技術の説明の中ですでに説明された．この利用方法のためには，まず一連の言語サンプルが選び出され，それらの有意データ再生が作られる．次に，それらの言語サンプルの中のひとつから無意データ再生が作られる．
２．利用方法２：この利用方法も，技術の説明の中ですでに説明された．この利用方法のためには，まず一連の言語サンプルが選び出され，それらの無意データ再生が作られる．次に，目標言語サンプルの中のひとつの有意データ再生が作られる．
３．利用方法３：この簡単にする方法は，使用される再生が無意データ再生であり，学習者が繰り返しそれらを聞かなければならないということによって特徴づけられる．こうして，学習者は直接韻律の存在に接触し，そのメッセージの内容から気がそらされているので，おそらく韻律のネットワークとトーン，強さ，持続時間のリズムの存在をさらによく知覚することができることになろう．ある程度の回数の訓練後には，学習者は目標言語の韻律に対する感受性を高めているだろう．
４．利用方法４：この場合，簡単にする方法は，有意データ再生を使用し，それらにおいて音のトーンや強さや持続時間のバリエーションを通して言語の自然な韻律を誇張することによって特徴付けられる．この誇張は，韻律の役割をより知覚しやすくしてくれよう．その有用性は，赤ん坊の子守による誇張した韻律を伴った再生が乳児の言語学習のために使われる重要な要素であるような科学的コミュニティーの中で，ある共通理解が存在するということにある［Ｂｏｙｓｓｏｎ−Ｂａｒｄｉｅｓ  ２００１，ｐ．８３，８５，８６，８８］．この現象は，第二言語の学習者にも作用するに違いない．
５．利用方法５：この簡単にする方法は，有意データ再生を利用し，その中で学習者にとってすべての音の識別を簡単にするための決まった一節を際立たせることによって，特徴付けられる．このタイプの簡単にする方法には，３つの下位方法が存在する．
−下位方法１では，音節が際立たせられる．
−下位方法２では，単語が際立たせられる．
−下位方法３では，適当と考えられる限られた句が際立たせられる．
６．利用方法６：この簡単にする方法は，ある共通の特徴を持つ音を高い割合で含んでいる有意データ再生が利用されることで，似た音の体系的存在が，メトロノームが音楽家にリズムの知覚を容易にするのに似て，リズムの知覚を容易にするということに特徴付けられる．
一例には，例えば子音−母音（ＣＶ）のような似ている音節を高いパーセンテージで含む言語サンプルを作り出すことがある．こうして，「ＣＶＣＶＣＶＣＶ」という連続によって作られる周期的特徴によって，再生の自然なリズムが強調されていく．ＣＶタイプの音節を利用することは，それが唯一世界中のすべての言語に存在する音節タイプであることから，特に肯定的となるかもしれない［Ｂｌｅｖｉｎｓ  １９９５，ｐ．２１７］．ＣＶタイプの音節は，言語の無標である方の部分を形成し，そのためにより獲得しやすいものであると考えられる．認知科学と言語科学において，「無標」とは，幼児が言語を学習するときに「ＣＶ」というタイプの音節が存在することはすでに知っていて，しかしながらもしその子の言語が例えば「ＣＶＣ」のような他のタイプの音節も含んでいるのであれば，それを特に習得しなければならない，ということである．子音または母音は，例えば唇音という素性（スペイン語の「ｐ」「ｂ」「ｍ」といった書記素の音に対応する）のような素性を，可能な限り多く，優先的に分かち合う．
この利用方法のためには，訓練のための特別な言語サンプルを選ばなければならない．それは，選ばれた音節を高い割合で含んでいる必要がある．そして次の段階は，実際の再生を発声する段階である．【００４３】  Ｂブロック  再生を処理したものについての方法
７．利用方法７：この簡単にする方法は，フィルターにかけることによって高い周波数を２０００Ｈｚあたりの限られた値に増幅した有意データ再生を利用することで，特徴付けられる．高い周波数における強調は，発話の知覚のために重要である．なぜなら，音の中で摩擦音を識別するエネルギーの多くは，２０００Ｈｚあたりの高い周波数の位置にあるからである．実際，幼児の外耳管がその短い長さのせいで実行する自然のフィルター行為は，言語の知覚を容易にすることに貢献している［Ｂｏｒｄｅｎ  ｅｔ  ａｌ  １９９４，ｐ．１７７］．  より好ましい実現では，この利用方法を実現するために，実際の再生をどれでもいいので選び，高域ろ波フィルターのモジュールをそれに適用する．【００４４】  Ｃブロック  学習者の活動についての方法
８．利用方法８：この簡単にする方法は，学習者が聞く実際の言語サンプルの口頭再生を文字で書いたものが存在して，それをその学習者が再生を聞くのに従って読むということによって，特徴付けられる．通常，学習者は口頭再生よりも書かれたテキストの方をよく理解するため，この活動を実行するに従って，部分的には書かれたもののおかげで言語サンプルの意味を再生の音と韻律と結びつけていくことができるだろう．
この利用方法のためには，選ばれたテキストから本当の再生が作り出され，次にはコンピューターシステムの画面にそのテキストを，口頭再生と並行して映し出すことだけが必要となる．この利用を簡単にするために，システムはその都度再現されるテキストの一節を，例えば異なる文字フォーマットで書いたり異なるグラフを使用したり，グラフを使うことによって際立たせることができる機能を持っている．【００４５】  Ｄブロック  学習者の態度についての方法
９．利用方法９：この利用方法では，簡単にする方法は，目標言語の実際の口頭再生を聞くときに，言語の決まった単位のリズムに特別な注意を払うよう学習者に教えることによって，特徴付けられる．この方法には，５つまでの異なる下位方法がある．
−下位方法１では，指導は母音に注意を払うよう示す．
−下位方法２では，指導は普通，母音的音声に注意を払うよう示す．確実にこれはより重要な利用形式であり，母音的音声は言語とその韻律情報の重要な部分をもたらす．
−下位方法３では，指導は有声音に注意を払うよう示す．
−下位方法４では，指導は子音に注意を払うよう示す．
−下位方法５では，指導は音節に注意を払うよう示す．【００４６】  この利用方法の利点は，言語のリズムと韻律構造が基本的に音節に支えられているので，学習者はその両方をはるかによく理解することができるということである．こうして，異なる音の知覚や受け取るメッセージの統語構造の知覚も改善できる．【００４７】  注意を音節に集めるために，学習者は下位方法５に代えてその音節に，その他の下位方法に代えて音節内の決まった部分に焦点を合わせることができる．【００４８】  ５つの下位方法の可能性はあるが，より好まれる実現は下位方法２，４，５によってカバーされる．下位方法１，３は技術の理解を簡単にするために説明された．これらの下位方法は，次の理由により，含まれない．母音に関係のある下位方法は，母音的音声の中にまとめられるので，含まれず，これらは十分に明らかであるとされている．有声音に関係のある下位方法は，直感で理解することが容易ではなく，そのため子音であり，普通母音的でない音の周りだと思われている音節はほとんどないため，含まれない．【００４９】  音の各種類によって何が理解されるかを説明するために，各下位方法には，より好ましい実現において，学習者が何について言っているのかを知覚できるようにする訓練の再生がいくつか作り出される．【００５０】  下位方法２のために，指導は学習者に，普通，母音的音声のリズムに注意を払うように示す．訓練に使われる再生は，母音と二重母音とその他の母音的音声の連続で作られた無意データ再生である．【００５１】  下位方法４のために，指導は学習者に，子音のリズムに注意を払うように示す．訓練に使われる再生は，子音は変化するが母音は維持される音節の連続によって作られた無意データ再生である．【００５２】  下位方法５のために，指導は学習者に，音節のリズムに注意を払うように示す．訓練に使われる再生は，音節を区切って発音されるやり方で，つまり音節を強調して発声された有意データ再生である．【００５３】  １０．利用方法１０：簡単にする方法は，学習者に，学習者が目標言語の実際の口頭再生を聞くときに現れる単語のリズムに特別な注意を払うよう指導することに，特徴付けられる．
この利用方法のためには，学習者に，再生を聞くときに単語の出現のリズムに注意を払うよう指示する，適切な指導を伝えることだけが必要である．【００５４】  １１．利用方法１１：簡単にする方法は，学習者に，目標言語の実際の口頭再生を聞くときに，共通のある関係を持つ単語の集合（つまり，句）を知覚しようとするために，その韻律の発達に特別な注意を払うようにという指導を与えることに，特徴付けられる．ある特別な場合では，学習者に，出来事や状態（つまり，従属文と対応する句）を反映する単語のグループを知覚することに努めるよう要求する．
この利用方法のためには，学習者に，再生を聞くときに，その中にある関係があるということを想起させるような単語のグループに注意を払うよう示す，適した指導を伝えることだけが必要である．【００５５】  Ｅブロック  再生のリズム性についての方法
１２．利用方法１２：簡単にする方法は，詩や歌の形式をとっていて，そのため詩や歌のもともとのリズムのおかげでそれが含んでいる言語サンプルの言語学的韻律のネットワークがよりよく知覚される有意データ再生を利用することによって，特徴付けられる．この利用方法を大変優れたものにするためには，可能な限り言語学的韻律のネットワークがそこで扱われている詩か歌という方法の特徴的韻律のネットワークと並行するために，その有意データ再生が特別なリズム特徴をいくつか持っていなくてはならないだろう．こうして，その詩や歌そのもののリズムが，言語リズムを強調するのに貢献する．この利用方法には，２つの下位方法がある．【００５６】  下位方法１では，有意データ再生は詩である．詩の韻律のネットワークと言語韻律のネットワークとを並行させるには，再生の実現の大変良い形式は，ある決まった数の音節に伴う韻律フットを利用することであり，どちらかと言えば    や長短格のフットに代わって，ひとつの韻律フットは２つの音節になる［Ｅｗｅｎ  ｅｔ  ａｌ  ２００１，ｐ．２０３］．【００５７】  下位方法２では，有意データ再生は歌や歌の一節である，歌の韻律のネットワークを言語韻律のネットワークと並行させるために，再生の実現の大変良い形式は，最大限に次の２つの状況を達成するようなものである．一方では，音楽の拍子がすべての音符が同じ持続時間を持っているようなものであることで，もう一方では，各音楽音符が一音節（つまり音節的言語韻律のネットワークの交点）に対応していてその音節にはその音符しか対応しないという場合が，高いパーセンテージで存在するということである．【００５８】  この利用方法のためには，前述の特徴を持つ歌や詩を見つけることだけが必要になる．【００５９】  Ｄブロックの利用方法では，学習者が単語を特定したり聞こえたことの意味を起こしたりしようとせず，ただリラックスしてリズムを追い，自分の脳が自発的にその機能を実現していくようにしたとき，その学習者の態度は大変よくなる．これらの方法においては，学習者に，再生をどのように聞かなければいけないかを指導することが必要である．これは簡単なことではなく，一人の人間に何を知覚しなければならないか説明するのは難しい．この問題を利用者に説明するために最も重要だと思われる３つの案は，リラックスしていなければならないことと，単語や聞こえた音の意味を再現しようと努力しないことと，扱われている下位方法に対応する発声の各部分のリズムを追うことである．この態度は，この技術の他の利用方法や，言語の通常使用においても適している．しかし，説明を明らかにするために異なる利用方法に分けられている．【００６０】  すでに説明した方法や下位方法の中でもっとも重要なものは，韻律や言語理解の支えとなる音節の韻律のネットワークの交点を目立たせるものであるために，方法９の下位方法１，２，３である．これらの下位方法の中で，最も重要なものは，下位方法２であろう．なぜなら，厳密に言うと音節核になれるいくつかの音（つまり有声子音）を含んではいるが，その言語の学習者には説明しやすいものになるし，また，核が有声子音である音節はほとんど存在しないからでもある．下位方法１も，学���者に指導するのに適しているであろうが，学習者が二重母音やその他の母音的音声の役割を疑問に思った場合には，ある種の混乱の原因となる可能性がある．【００６１】  方法９の下位方法１，２，３の適用は，学習者が受け取ったメッセージの意味をすぐに完璧に理解できるということを期待するものではなく，人によって理解力が少しずつ発達するようにある訓練が必要になる．普通，同じことが他の利用方法や下位方法にも言える．
Ｄブロックの中では，方法１０，１１があまり重要でない．これらの方法では，単語や句によって作られるリズムを対象にしており，それらは方法９ですでにカバーされている音節の基本リズムの結果である．これにより，普通は方法９と比べるとわずかしか利用されない．【００６２】  批評されるように，組み合わせられない利用方法もいくつか存在する．明らかにこれらの場合であるうちのひとつは，方法１の純粋な韻律音を聞くことと書かれたものを読むことの組み合わせである．【００６３】  特にＤブロックの方法は，１−６タイプの方法のために作られた再生や，７タイプの方法のために作られたものや，その他学習者が調べたり知覚したりしているような目標言語の口頭再生とともによく利用されうる．つまり，訓練のためにだけ役立つのではなく，実際の場面での言語使用そのものにも役立つ．【００６４】  利用方法６は，どちらかと言うと学習者の中間段階から利用されるだろう．理由は，最初の段階で利用すると，書かれた形式と口頭での形式を結び付けて学習者に悪い制約をしてしまう可能性があるということである．【００６５】その他の利用方法の解説
すでに紹介した望ましい利用方法に代わるいくつかの利用法として，より少ない数の利用方法や下位方法を用いることが考えられる．つまり，例えば方法１または方法２，または方法９の下位方法２のようにそれだけを用いることができ，いくつかの方法や，または下位方法の組み合わせを用いることもできる．【００６６】  例えば，最も容易な利用方法として，下位方法２において，最も重要なタイプ９の方法だけを用いるということが考えられる．そのために，学習者には，例えば母音的音声に集中するようにという指導が与えられることだけが必要になる．そして実際の再生は例えばテレビやラジオや他の伝達方法によってつくられたものになる．【００６７】  タイプ９の利用方法が含まれるその他の利用方法としては，学習者に有声音に注意を払うようにと指示をすることも考えられるが，この方法がそれほど有用なものであるとは思われない．母音的である有声音はとてもわずかであり，直感的にその性質を説明するのは難しいからである．【００６８】  また別の利用方法においては，利用方法２のためにその新しい下位方法が作られる．この下位方法においては，候補となる言語サンプルについて学習者に示される情報は，いくつかのサンプルで聴覚再生が得られ，その他のサンプルで書かれたものが得られるということによって，特徴づけられる．【００６９】  また別の利用方法においては，コンピューターシステムが，先に挙げた望ましい利用方法の箇所で説明されたものとは異なる特徴を持つ．【００７０】  また，コンピューターシステムは使用せず，例えばテープレコーダーやテレビなど，オーディオ再生機器を使用するという方法もある．この場合，オーディオ再生機器で再生される限られた指示とともに録音された再生の多様さがある．例えば，タイプ１の方法のためには，ある再生の声は学習者に，次に続いて実行されるはずであろう実際の限られた実現を聞くように指示する．【００７１】  また別の利用方法として，音の再生のほかに，紙を利用することが出来る．タイプ８の方法を伴う実現を利用するために，紙にはテープレコーダーで再生される言語サンプルが書かれている．【００７２】  また別の利用方法として，実行される再生は他のものを無視して韻律のいくつかの側面だけを集めることができる．例えば，音の持続時間の変動を無視して，トーンと強さの変動だけが考慮される可能性がある．これらの特徴を持つような実現は劣っていると見なされるはずだが，この技術の領域内にもありうる．【００７３】  また別の利用法として，目標言語自身の韻律的特徴を持たず，おそらくどの言語の韻律的特徴も持っていないであろう無意データ再生がいくつか利用される．【００７４】  この技術の領域内では，いくらかの言語や言語の特殊なサンプルだけに起こりうるように，韻律が音の強さや周波数や持続時間の変動に基づいていなくてこれらの大きさのうちの１つか２つにのみ基づいている場合のために発達した実現であるとも考えられるだろう．普通，韻律は言語のリズムと関係する音韻的特徴のすべてを反映すると考えられ，そのうちのいくつかしか利用しない実現もあるが，それはこの技術の領域内であると見なされる．
【手続補正２】
【補正対象書類名】特許請求の範囲
【補正対象項目名】全文
【補正方法】変更
【補正の内容】
【特許請求の範囲】
【請求項１】
外国語であれ学習者自身の母語であれ，目標言語について実行される言語学習を，簡単にするための方法．そこでは，その方法は，利用者が何がしかの簡単にする方法を用いてある聴覚再生を聞くことに特徴付けられる．そうして，
ａ．  それら簡単にする方法は，利用者が目標言語の音の特徴，つまり目標言語の発音，イントネーション，リズム，韻律構造，そして・または韻律に関連する特徴を受け取るのを容易にしたり，利用者がその知覚を実行する能力を発達させるのを容易にしたり，また，その両方の目的を達成することを容易にしたりする．
ｂ．  それら聴覚再生は，話者の実際の発声によって作られるこのもあれば，発話技術のシステムを使って作られることもある．そしてそれら聴覚再生は，有意データ再生でも無意データ再生でもありうる．そこでは，
−有意データ再生は目標言語の実際のサンプルに対応し，
−再生は目標言語の実際のサンプルではなく，トーンと強さと持続時間の変動を通じて目標言語の韻律パターンを再生する音の連続によって構成される．
そしてそこでは，それらの方法が独立して，または補足的に，言語習得を容易にしたり，外国語のサンプルを提示したり，また母語使用における問題をいくつか訂正したりすることに焦点を合わせて，使用されうる．
【請求項２】
請求項１に沿った方法で，実在の無意データ再生は，例えば以下のうちのひとつのように，方法の多様さによって生み出されたものである可能性がある．
目標言語の有意データ再生をフィルターにかけることで，それら有意データ再生の音声的情報が大いに除去されたり減少したりするが，それら有意データ再生の韻律的情報は非常に尊重される．
例えば「ｌａ−ｌａ−ｌａ．．．」やそれ同士が同一であったり異なっていたりするその他の音節のような，音節の音をつなげる．
有意データ再生からは，すべての母音的音声が同じ母音と置き換わり，無意データ再生はそれら有意データ再生が帯びていたのに似た韻律を持つ．
波形が周期的である音をつなげる．それらの音は，例えば純音や母音的音声でありうる．
有意データ再生からは，子音が除去され，その無意データ再生が帯びていたのと似た韻律とともに母音的音声のみがとどまる．
その他どの方法でも．
【請求項３】
請求項１に沿った方法で，一度以上の訓練を通じて実行される．そこでは，その訓練のうち少なくとも一度のために，ひとつ以上の無意データ再生が存在し，目標言語の実際のサンプルのひとつ以上存在する．そのために，それら無意データ再生のうち少なくともひとつのために，同等の韻律変遷を持つそれら目標言語の実際のサンプルが少なくともひとつ存在する．そこでは，その方法は以下の手順からなっている．
学習者に，ひとつ以上のそれら目標言語の実際のサンプルを特徴付ける情報を提示する．
学習者にとって，無意データ再生と，それと同等の韻律変遷を持つ目標言語の実際のサンプルを結び付ける．
【請求項４】
請求項３に沿った方法で，利用者に目標言語の実際のサンプルについて提示された特徴づけの情報は，実際の言語サンプルの音再生，つまり有意データ再生である．
【請求項５】
請求項３に沿った方法で，利用者に目標言語の実際のサンプルについて提示された特徴づけの情報は，それら実際の言語サンプルの書かれたものである．
【請求項６】
請求項３に沿った方法で，無意データ再生がひとつだけ存在し，学習者は目標言語の実際のサンプルのうちのどれ，またはどれらが，その無意データ再生に相当するのかを示さなければならない．
【請求項７】
請求項３に沿った方法で，目標言語の実際のサンプルがひとつだけ存在し，学習者は無意データ再生のうちのどれ，またはどれらが，その目標言語の実際のサンプルに対応するのかを示さなければならない．
【請求項８】
請求項１に沿った方法で，それら聴覚再生は無意データ再生であり，利用者は繰り返しそれを聞くということに特徴づけられる，簡単にする方法である．それによって利用者は，目標言語の特徴的韻律パターンに親しむことができ，その言語の語彙的側面を同時に受け取ることなく，基本的にそのパターンだけに集中できる．
【請求項９】
請求項１に沿った方法で，聴覚再生は無意データ再生であり，その簡単にする方法は，子守が赤ん坊に話すときにするように，韻律変動が誇張されていることに基づく．
【請求項１０】
請求項１に沿った方法で，聴覚再生は有意データ再生であり，その簡単にする方法では，その聴覚再生の決まった部分が聴覚的に目立たせられており，そこではその聴覚的際立ちが，次の多様な方法に含まれる方法のうちひとつ以上から実現されうる．
その音の持続時間に変化をつける．
その音の響く強さに変化をつける．
その音の基本周波数に変化をつける．
前述の３つの変動のうちひとつ以上を実現する．
音節を区切って発音した，つまり音節を強調した再生を実行する．
単語を強調した再生を実行する．
その他可能な方法．
【請求項１１】
請求項１に沿った方法で，聴覚再生は有意データ再生であり，そこではその簡単にする方法は，聴覚再生が選ばれることに特徴付けられる．そうして共通の決まった特徴を持つ音節を高いパーセンテージで含み，メトロノームがするように音節のリズムの知覚を容易にする．またそこでは，共通の特徴を持つ音節が様々な種類である可能性があり，それらの種類のうちひとつは，母音が続く子音で構成される音節である．
【請求項１２】
請求項１に沿った方法で，その簡単にする方法は，再生の高い周波数を目立たせ，その周波数域における音声的・音韻的特徴を特定しやすくするために，高域周波数でのフィルターを含む．そこでは，フィルターの形式は小さな幼児の外耳管によって実行される自然のフィルターの形式と似ており，特に２０００Ｈｚ以上にある周波数を目立たせる．
【請求項１３】
請求項１に沿った方法で，聴覚再生は有意データ再生であり，そこではその簡単にする方法は，再生されている言語サンプルを文字で書いたものを同時に読むことに相当する．そうして利用者は，聞こえる音の動向と同じようにその音を，その音が伝える意味と結び付けることを習得する．
【請求項１４】
請求項１に沿った方法で，聴覚再生は有意データ再生であり，そこではその簡単にする方法は，利用者に特別な方法でその有意データ再生を聞くように指導することに基づく．
【請求項１５】
請求項１４に沿った方法で，その特別な方法は，利用者に，以下の特徴のうちひとつの変遷を受け取ることに注目するよう指導することに基づいている．
前述の有意データ再生の決まった部分のリズム
母音的音声，つまり母音，半母音，二重母音
母音
子音
音節か，その核のような一部
利用者がそれによって単語の出現リズムを追える単語
再生の韻律から，それら同士で何らかの関連があると考えられる単語のグループ        分け．
【請求項１６】
請求項１に沿った方法で，聴覚再生は有意データ再生であり，その簡単にする方法は，その有意データ再生が，利用者がその言語の音節リズムをよりよく受け取ることができる，言語リズムと結び付いたリズムの性質を持っているということに基づく．そうしてその有意データ再生は，以下の種類のうちのどれかになりうる．
歌か歌の一節
詩か詩の一節
【請求項１７】
請求項１６に沿った方法で，その有意データ再生は歌か歌の一節であり，その歌か歌の一節においては，音符が同じ持続時間を要するということが高いパーセンテージで実現されており，その音符の高いパーセンテージのために音節はただひとつ存在し，その音節のために音符はただひとつだけ存在する．
【請求項１８】
請求項５１に沿った方法で，その有意データ再生は詩か詩の一節であり，その詩か詩の一節においては，高いパーセンテージで韻律フットが同数の音節を擁するということが実現されている．
【請求項１９】
外国語でも学習者自身の母語でもありうる目標言語について用いられる，言語習得を簡単にするシステムであり，そこではそのシステムは以下の方法を含むということで特徴付けられる．
ａ．  学習者が聞くある聴覚再生を引き起こす方法
ｂ．  利用者が，目標言語の音の特徴，つまり目標言語の発音，イントネーション，リズム，韻律構造，そして・また韻律と関連する特徴を受け取るのを容易にしたり，利用者がその知覚を実行する能力を発達させるのを容易にしたり，またその両方の目的を達成するのを容易にする，簡単にする方法
そこでは，その聴覚再生が，話者の実際の発声によって作られていたり，発話技術システムを通して作られていたりする．そしてそこでは，その聴覚再生は有意データ再生でも無意データ再生でもありうる．そして，
有意データ再生は目標言語の実際のサンプルに対応する．
再生は目標言語の実際のサンプルではなく，トーンと強さと持続時間を通して目標言語の韻律パターンを再現する音の連続から構成される．
そしてそのシステムは，言語習得を容易にすることや，ある外国語のサンプルを提示することや，また母語の使用におけるいくつかの問題を訂正するということに焦点を当てて，独立してでも，補助的にも使える．
【請求項２０】
請求項１９に沿ったシステムで，実在の無意データ再生は，例えば以下のうちのどれかのような，方法の多様性から生み出されたものでありうる．
目標言語の有意データ再生をフィルターにかけることで，その有意データ再生の音声的情報を大いに除去または現象させ，しかしその有意データ再生の韻律情報は大部分が尊重される
例えば”ｌａ−ｌａ−ｌａ．．．”やそれ同士が同じであったり異なっているその他の音節のように，音節の音に脈絡をつける
有意データ再生から，すべての母音的音声は同じ母音と置き換えられ，無意データ再生はその有意データ再生が帯びていたのと似た韻律を持つ．
例えば純音や母音的音声であったりする，波形が周期的である音をつなげる．
有意データ再生から，子音が除去され，母音的音声のみがその無意データ再生が帯びていたのと似た韻律とともに留まる．
その他何がしかの方法で．
【請求項２１】
請求項１９に沿ったシステムで，ひとつ以上の訓練を実行するための方法を含んでおり，そこではそれらの訓練のうち少なくともひとつのために，ひとつ以上の無意データ再生が存在し，目標言語の実際のサンプルもひとつ以上存在する．そのために，それら無意データ再生のうち少なくともひとつのために，同等の韻律変遷を持つ目標言語の実際のサンプルが少なくともひとつ存在する．そしてそこでは，その訓練は以下の手順で特徴づけられている．
学習者に，ひとつ以上のそれら目標言語の実際のサンプルについて特徴付ける情報を提示する．
学習者にとって，無意データ再生と，それと同等の韻律変遷を持つ目標言語の実際のサンプルとの結びつき．
【請求項２２】
請求項２１に沿ったシステムで，学習者に目標言語の実際のサンプルについて提示する特徴づけ情報が，その実際の言語サンプルの音再生，つまり有意データ再生であるということに特徴付けられる．
【請求項２３】
請求項２１に沿ったシステムで，学習者に目標言語の実際のサンプルについて提示する特徴づけ情報が，その実際の言語サンプルを文字で書いたものであるということに特徴付けられる．
【請求項２４】
請求項２１に沿ったシステムで，無意データ再生がただひとつ存在し，学習者は目標言語の実際のサンプルのうちどれ，またはどれらがその無意データ再生に対応するかを示さなければならない．
【請求項２５】
請求項２１に沿ったシステムで，目標言語の実際のサンプルがただひとつ存在し，学習者は無意データ再生のうちどれ，またはどれらがその目標言語の実際のサンプルに対応するかと示さなければならない．
【請求項２６】
請求項１９に沿ったシステムで，その聴覚再生は無意データ再生であり，利用者はそれを繰り返し何度も聞くことによって，目標言語の特徴的韻律パターンに親しむことができ，その言語の語彙的側面を同時に受け取ることなく，基本的にそのパターンだけに集中できる．
【請求項２７】
請求項１９に沿ったシステムで，その聴覚再生は有意データ再生であり，その簡単にする方法は，子守が赤ん坊に話すときにするように，韻律変動が誇張されることに基づいている．
【請求項２８】
請求項１９に沿ったシステムで，聴覚再生は有意データ再生であり，その簡単にする方法は，その聴覚再生の決まった部分が聴覚的に目立たせられており，そこではその聴覚的際立ちが，次の多様な方法に含まれる方法のうちひとつ以上から実現されうるということに基づいている．
その音の持続時間に変化をつける．
その音の響く強さに変化をつける．
その音の基本周波数に変化をつける．
前述の３つの変動のうちひとつ以上を実現する．
音節を区切って発音した，つまり音節を強調した再生を実行する．
単語を強調した再生を実行する．
その他可能な方法．
【請求項２９】
請求項１９に沿ったシステムで，聴覚再生は有意データ再生であり，そこではその簡単にする方法は，聴覚再生が選ばれることに基づいている．そうして共通の決まった特徴を持つ音節を高いパーセンテージで含み，メトロノームがするように音節のリズムの知覚を容易にする．またそこでは，共通の特徴を持つ音節が様々な種類である可能性があり，それらの種類のうちひとつは，母音が続く子音で構成される音節である．
【請求項３０】
請求項１９に沿ったシステムで，その簡単にする方法は，再生の高い周波数を目立たせ，その周波数域における音声的・音韻的特徴を特定しやすくするために，高域周波数でのフィルターを含む．そこでは，フィルターの形式は小さな幼児の外耳管によって実行される自然のフィルターの形式と似ており，特に２０００Ｈｚ以上にある周波数を目立たせる．
【請求項３１】
請求項１９に沿ったシステムで，聴覚再生は有意データ再生であり，そこではその簡単にする方法は，再生されている言語サンプルを文字で書いたものを同時に読むことに相当する．そうして利用者は，聞こえる音の動向と同じようにその音を，その音が伝える意味と結び付けることを習得する．
【請求項３２】
請求項１９に沿ったシステムで，聴覚再生は有意データ再生であり，そこではその簡単にする方法は，利用者に特別な方法でその有意データ再生を聞くように指導することに基づく．
【請求項３３】
請求項３２に沿ったシステムで，利用者に，以下の特徴のうちひとつの変遷を受け取ることに注目するよう指導するための方法を含む．
前述の有意データ再生の決まった部分のリズム
母音的音声，つまり母音，半母音，二重母音
母音
子音
音節か，その核のような一部
利用者がそれによって単語の出現リズムを追える単語
再生の韻律から，それら同士で何らかの関連があると考えられる単語のグループ        分け．
【請求項３４】
請求項１９に沿ったシステムで，聴覚再生は有意データ再生であり，その有意データ再        生は，利用者がその言語の音節リズムをよりよく受け取ることを容易にする，言        語リズムと結び付いたリズムの性質を持っている．そうしてその有意データ再生        は，以下の種類のうちのどれかになりうる．
歌か歌の一節
詩か詩の一節
【請求項３５】
請求項３４に沿った方法で，その有意データ再生は歌か歌の一節であり，その歌か歌の一節においては，音符が同じ持続時間を要するということが高いパーセンテージで実現されており，その音符の高いパーセンテージのために音節はただひとつ存在し，その音節のために音符はただひとつだけ存在する．
【請求項３６】
請求項３４に沿った方法で，その有意データ再生は詩か詩の一節であり，その詩か詩の一節においては，高いパーセンテージで韻律フットが同数の音節を擁するということが実現されている．
【請求項３７】
請求項１から１８のうちひとつ以上の方法を実現させてくれる，コンピュータープログラム．
【請求項３８】
請求項１９から３６のうちひとつ以上のシステムを実現させてくれる，コンピュータープログラム．
【請求項３９】
何らかの方法で読める，請求項３７か３８で言及されたコンピュータープログラムのうちどちらかを含む，記憶媒体．
【請求項４０】
請求項１から１８のうちひとつ以上の方法を実現するために用いられうるシステムを実現してくれる，構造化されたデータ集合．
【請求項４１】
請求項１９から３６のうちひとつ以上のシステムを実現してくれる，構造化されたデータ集合．
【請求項４２】
何らかの方法で読める，請求項４０か４１で言及された構造化されたデータ集合のうちどちらかを含む，記憶媒体．
【国際調査報告】
2007525702.tif 000025
2007525702.tif 000026
2007525702.tif 000027
2007525702.tif 000028